(57)【要約】【課題】建物内における熱負荷を低減することができ、かつ防火性や遮音性も高めることが可能になる建物の透過光調整構造を提供する。【解決手段】光の透過性を有する建物の外被材１０と、この外被材の内側に沿って所定間隔をおいて配設された外側膜材１１ａと、この外側膜材の内側に沿って配設されるとともに周縁部が外側膜材と気密的に一体化された内側膜材１１ｂと、外被材と外側膜材との間の空間１７を換気可能な換気手段（１８，１９，２０）と、外側膜材と内側膜材との間の内部空間１３に連通して給気または排気する第１の給排気管を有し、内部空間を加圧および減圧可能な第１の給排気手段（２１，２２）とを備え、外側膜材および内側膜材には、光を透過する第１のパターン１５ａ、１５ｂと、光の透過を抑制する第２のパターン１４ａ、１４ｂとが互いの膜面上に入れ違いに形成されている。【選択図】図１
2007314997.tif 000002
【特許請求の範囲】
【請求項１】
光の透過性を有する材料からなり、建物の外面を画成する外被材と、
この外被材の内側に沿って所定間隔をおいて配設された外側膜材と、
この外側膜材の内側に沿って配設されるとともに周縁部が当該外側膜材と気密的に一体化された内側膜材と、
上記外被材と上記外側膜材との間の空間を換気可能な換気手段と、
上記外側膜材と内側膜材との間の内部空間に連通して給気または排気する第１の給排気管を有し、上記内部空間を加圧および減圧可能な第１の給排気手段とを備えてなり、
上記外側膜材および内側膜材には、光を透過する第１のパターンと、光の透過を抑制する第２のパターンとが、互いの膜面上に入れ違いに形成されていることを特徴とする建物の透過光調整構造。
【請求項２】
上記外被材と上記外側膜材との間には、両者間の空間を画成する仕切り部材が設けられ、かつ上記換気手段は、上記仕切り部材に設けられて上記空間内外の空気を流通可能とする開閉弁と、上記空間に連通して給気または排気する第２の給排気管を有し、上記空間を加圧および減圧可能な第２の給排気手段とを有してなることを特徴とする請求項１に記載の建物の透過光調整構造。
【請求項３】
上記第１および第２の給排気手段は、共通の給排気装置を有し、かつ当該給排気装置が接続される第１ポートと、上記第１の給排気管が接続される第２ポートと、上記第２の給排気管が接続される第３ポートと、開閉弁を介して外部に連通する第４ポートとを備え、内部の弁体の回動により、上記第１ポートを上記第２ポートおよび／または第３ポートと連通させるとともに、同時に上記第４ポートを上記第３ポートおよび／または第２ポートと連通させる四方弁を有してなることを特徴とする請求項２に記載の建物の透過光調整構造。
【請求項４】
上記外被材は、屋根材または壁材であることを特徴とする請求項１ないし３のいずれかに記載の建物の透過光調整構造。
【発明の詳細な説明】
【技術分野】
【０００１】
本発明は、建物の透明な屋根材等の内側に配設されて、日射等の透過光の量を調整することが可能となる建物の透過光調整装置に関するものである。
【背景技術】
【０００２】
屋根葺き材等の建物の外面を画成する外被材として、２枚の膜材の周縁部をフレームによって気密的に保持するとともに、内部空間に空気を加圧封入したニューマチックパネルと呼ばれる建築用パネルが知られている。
【０００３】
図７は、この種のパネルを示すもので、ＥＴＦＥ（エチレン−テトラフルオロエチレン共重合体）フィルム等の透明なプラスチック系フィルム材料からなる２枚の矩形状の膜材１ａの間に空気が封入された二重膜構造の膜パネル１と、膜パネル１の周縁部を気密的に保持する外周フレーム２とを備えたものである。ここで、膜材１ａの隅部には、給気口３設けられ、この給気口３にブロア４からのダクト５が接続されており、切替弁６を開閉することにより、適宜内部に空気が送り込まれるようになっている。
【０００４】
なお、上記構成からなるパネルを改良したものとしては、例えば、本発明者等が下記特許文献１において提案したニューマチックパネルが知られている。
ところで、このような透明なフィルム材料からなる膜材１ａを用いたパネルにあっては、特に夏季のような、強い日射に曝される期間においては、全ての太陽光が建物内に照射されてしまうために、別途遮光用ルーバー等を設置する必要がある。
【０００５】
そこで、上記非特許文献１に見られるような、透過する光の量を調整可能なパネルも提案されている。
図８は、上記文献において開示されているパネルを示すもので、このパネルにおいては、２枚の光透過性を有する上下膜材７ａ間に、同様に光り透過性を有する中間膜材７ｂを介装し、上膜材７ａの１／２面積に遮光パターン８ａを形成するとともに、中間膜材７ｂの１／２面積に、上膜材７ａと入れ違いになるように遮光パターン８ｂを形成したものである。
【０００６】
上記パネルによれば、図８（ａ）に示すように、上膜材７ａと中間膜材７ｂとの間の内部空間９ａに給気することにより、互いに離間した上膜材７ａと中間膜材７ｂの遮光パターン８ａ、８ｂ間を通じて建物内に太陽光を照射させることができる。また、日射が強い期間においては、図８（ｂ）に示すように、上記内部空間９ａ内の空気を排気するとともに、中間膜材７ｂと下膜材７ａとの間の内部空間９ｂに給気することにより、上膜材７ａと中間膜材７ｂとの遮光パターン８ａ、８ｂによってパネルの全面積を覆って、所望の遮光性を得ることができるという利点がある。
【特許文献１】特開２００６−６３６２３号公報
【非特許文献１】ドイツ・シュツットガルト大学の軽量構造研究所が発刊する技術雑誌ＩＬ１１（１９７８年）
【発明の開示】
【発明が解決しようとする課題】
【０００７】
ところが、図７および図８に示したパネルは、いずれも屋根等の外被材としてＥＴＦＥ等の可撓性を有するものの耐火性には劣るフィルム材を用いているために、耐火性能を確保することができないという問題点があった。
また、夏季や日射しの強い日中には、パネル内の空気が高温になってしまうために、建物内における冷房負荷が高くなるという問題点もあった。加えて、降雨時に、雨滴が膜材を叩くことにより、建物の内部に増幅された騒音が発生してしまうという欠点もあった。
【０００８】
本発明は、かかる事情に鑑みてなされたもので、外被材から建物内に照射される光量を容易に調整することができるとともに、建物内における熱負荷を低減することができ、かつ防火性や遮音性も高めることが可能になる建物の透過光調整構造を提供することを課題とするものである。
【課題を解決するための手段】
【０００９】
上記課題を解決するために、請求項１に記載の発明は、光の透過性を有する材料からなり、建物の外面を画成する外被材と、この外被材の内側に沿って所定間隔をおいて配設された外側膜材と、この外側膜材の内側に沿って配設されるとともに周縁部が当該外側膜材と気密的に一体化された内側膜材と、上記外被材と上記外側膜材との間の空間を換気可能な換気手段と、上記外側膜材と内側膜材との間の内部空間に連通して給気または排気する第１の給排気管を有し、上記内部空間を加圧および減圧可能な第１の給排気手段とを備えてなり、上記外側膜材および内側膜材には、光を透過する第１のパターンと、光の透過を抑制する第２のパターンとが、互いの膜面上に入れ違いに形成されていることを特徴とするものである。
【００１０】
また、請求項２に記載の発明は、請求項１に記載の発明において、上記外被材と上記外側膜材との間には、両者間の空間を画成する仕切り部材が設けられ、かつ上記換気手段は、上記仕切り部材に設けられて上記空間内外の空気を流通可能とする開閉弁と、上記空間に連通して給気または排気する第２の給排気管を有し、上記空間を加圧および減圧可能な第２の給排気手段とを有してなることを特徴とするものである。
【００１１】
さらに、請求項３に記載の発明は、請求項２に記載の発明において、上記第１および第２の給排気手段が、共通の給排気装置を有し、かつ当該給排気装置が接続される第１ポートと、上記第１の給排気管が接続される第２ポートと、上記第２の給排気管が接続される第３ポートと、開閉弁を介して外部に連通する第４ポートとを備え、内部の弁体の回動により、上記第１ポートを上記第２ポートおよび／または第３ポートと連通させるとともに、同時に上記第４ポートを上記第３ポートおよび／または第２ポートと連通させる四方弁を有してなることを特徴とするものである。
【００１２】
また、請求項４に記載の発明は、請求項１〜３のいずれかに記載の発明において、上記外被材が、屋根材または壁材であることを特徴とするものである。
【発明の効果】
【００１３】
請求項１〜４のいずれかに記載の発明によれば、建物の外被材の内側に配設した外側膜材と内側膜材との内部空間に第１の給排気手段によって給気を行うと、上記内部空間内が加圧されることにより両者が離間し、これにより互いの光の透過を抑制する第１のパターン間を通じて、日射等の外部の光が建物内に照射される。また、日射等の外部からの光が強すぎる場合には、上記第１の給排気手段によって、外側膜材と内側膜材との内部空間の空気を排気する。これにより、外側膜材と内側膜材とが重なって、互いの膜面上に入れ違い、すなわち逆パターン状に形成されている上記第２のパターンが上記膜面の広い面積を覆うために、建物内への光の照射を抑制することができる。
【００１４】
この際に、外被材と外側膜材と間の空間を、換気手段によって換気することにより、建物内に上記日射等によって高温となった空気が滞留することが無く、よって建物内における熱負荷を低減することができる。
加えて、本発明においては、上記外側膜材および内側膜材が、建物の外被材の内側に配設されるために、新築の建物のみならず、既存の建物に対しても容易に適用することができる。
【００１５】
また、外装材として、光の透過性を有する限りにおいて、様々な素材を選択することができるために、容易に所望の防火性を確保することができるとともに、当該外被材と外側膜材との間に、空気層が形成されているために、遮音性も高めることができる。特に、別途外被材と外側膜材との間に吸音材を配置すれば、降雨時等における騒音の発生も抑制することができる。
【００１６】
さらに、請求項２に記載の発明によれば、上記外被材と上記外側膜材との間に上記空間を画成する仕切り部材を設け、当該空間を加圧および減圧可能な第２の給排気手段を設けているために、この第２の給排気手段によって、上記空間内を加圧または減圧することにより、単に外側膜材と内側膜材との内部空間を外部に開放するのみで、外側膜材と内側膜材とを重ねることができ、一層容易に建物内への光の照射を抑制することができる。
【００１７】
また、請求項３に記載の発明によれば、四方弁を適宜切り替えることにより、外被材と外側膜材との間の空間および外側膜材と内側膜材との内部空間に対して、共通の給排気装置を作動させることによって、建物内への透過光を調整することができ、制御が容易になるとともに、設備の簡易化を図ることができるために経済性にも優れる。
【発明を実施するための最良の形態】
【００１８】
（第１実施形態）
図１および図２は、本発明に係る建物の透過光調整構造の第１実施形態を示すもので、図中符号１０が建物の屋根材（外被材）である。
この屋根材１０は、ガラス板等の光の透過性を有し、かつ耐火性に優れる材料からなるもので、図示されない建物の上部梁上に設置されている。そして、この屋根材１０の下方に、所定の間隔をおいてニューマチックパネル１１が設置されている。
【００１９】
このニューマチックパネル１１は、ＥＴＦＥ等の透明なプラスチック系フィルム材料からなる２枚の矩形状に形成された外側膜材１１ａと内側膜材１１ｂとが、互いの周縁部において気密的に一体化されて外周フレーム１２に保持されたもので、この結果、外側膜材１１ａと内側膜材１１ｂとの間には、内部空間１３が形成されている。
【００２０】
ここで、外側膜材１１ａおよび内側膜材１１ｂには、それぞれ多数の遮光パターン（第２のパターン）１４ａ、１４ｂが、遮光性を有する塗料を塗布または印刷等することにより形成されている。ちなみに、外側膜材１１ａと内側膜材１１ｂとに形成された遮光パターン１４ａ、１４ｂは、互いの膜面上に平面視において入れ違いに、すなわち逆パターンとなって全体としてニューマチックパネル１１の全面を覆うように形成されている。この結果、外側膜材１１ａの遮光パターン１４ａ間および内側膜材１１ｂの遮光パターン１４ｂ間に、それぞれ透明な素材が露出した光を透過するパターン（第１のパターン）１５ａ、１５ｂが形成されている。
【００２１】
また、屋根材１０とニューマチックパネル１１の外周フレーム１２との間には、屋根材１０と外側膜材１１ａとの間を気密的に仕切る隔壁（仕切り部材）１６が設けられており、これにより屋根材１０と外側膜材１１ａとの間には、閉じられた空間１７が形成されている。ここで、一方の隔壁１６には、開閉ダンパ（開閉弁）１８が設けられるとともに、これと対向する隔壁１６には、給排気管（第２の給排気管）１９の一端部が接続され、当該給排気管１９の他端部は、正逆転可能な給排気ファン等の給排気装置２０に接続されている。そして、これら開閉ダンパ１８，給排気管１９、給排気装置２０等により、空間１７に対する換気手段および第２の給排気手段が構成されている。
【００２２】
他方、ニューマチックパネル１１の内側膜材１１ｂには、内部空間１３内の空気を給気または排気する正逆転可能な給排気ファン等の給排気装置２１からの給排気管（第１の給排気管）２２が、外周フレーム１２の近傍に接続されている。そして、これら給排気管２２および給排気装置２１等により内部空間１３に対する第１の給排気手段が構成されている。
【００２３】
次に、以上の構成からなる建物の透過光調整構造の作用効果について説明する。
先ず、建物内に多くの日射を採り入れたい場合には、図１（ａ）に示すように、給排気装置２１を給気側に作動させて、ニューマチックパネル１１の外側膜材１１ａと内側膜材１１ｂとの内部空間１３に給気を行う。すると、内部空間１３内が加圧されることにより外側膜材１１ａと内側膜材１１ｂが離間し、これにより互いの光の透過を抑制するパターン１５ａ、１５ｂ間を通じて、太陽光が建物内に照射される。
【００２４】
また、これと並行して、屋根材１０と外側膜材１１ａとの間の隔壁１６に設けられた開閉ダンパ１８を開くとともに、給排気装置２０を排気側に作動させて、空間１７内の空気を静圧（より正確には、僅かな負圧）の状態で排気する。
これにより、建物内に上記日射によって高温となった空気が滞留することが無く、よって建物内における熱負荷を低減することができる。
【００２５】
これに対して、夏季の日中等のように日射が強すぎる場合には、先ず図１（ｂ）に示すように、空間１７への外気の流入を許容していた開閉ダンパ１８を閉じて、給排気装置２０を給気側に作動させることにより、空間１７内に空気を送って加圧する。これと並行して、給排気管２２を開放させるか、あるいは給排気装置２１を排気側に作動させて、ニューマチックパネル１１の内部空間１３内の空気を排気する。
【００２６】
この結果、最終的に図１（ｃ）に示すように、空間１７内が加圧状態に保持されるとともに、ニューマチックパネル１１の外側膜材１１ａと内側膜材１１ｂとが重なって、互いの膜面上に入れ違いに形成されている遮光パターン１４ａ、１４ｂが上記膜面のほぼ全面積を覆うことにより、建物内への日射が遮光される。また、この状態から、給排気装置２０を給気側に作動させたままで開閉ダンパ１８を開けば、屋根材１０と外側膜材１１ａとの間の空間１７を換気することができる。
【００２７】
さらに、図２（ａ）に示すように、給排気装置２１を排気側に作動させてニューマチックパネル１１の内部空間を負圧に保持しつつ、開閉ダンパ１８を閉じて、給排気装置２０を排気側に作動させると、空間１７内が減圧されることにより、ニューマチックパネル１１が、上記日射を遮ったままで、これまでとは逆に上方に向けて凸形状、すなわち建物の室内から見ると凹形状となる。これにより、ニューマチックパネル１１が室内に凸状に形成されることによる圧迫感を低減することができるとともに、建物の室内空間を広く活用することも可能になる。
【００２８】
しかも、図２（ｂ）に示すように、開閉弁１８を開いて、給排気装置２０の排気側の作動を継続すれば、日射を遮る状態を保持しつつ、屋根材１０と外側膜材１１ａとの間の空間１７を換気することができる。
【００２９】
（第２実施形態）
図３〜図５は、本発明に係る建物の透過光調整構造の第２実施形態を示すもので、図１および図２に示したものと共通する構成部分については、同一符号を付してその説明を簡略化する。
この透過光調整構造においては、第１実施形態における２基の給排気装置２０、２１に代えて、屋根材１０下方の空間１７およびニューマチックパネル１１の内部空間１３の給排気用として、共用の１基の給排気装置３０が設置されている。
【００３０】
さらに、この給排気装置３０による空間１７および内部空間１３に対する給排気を切り替えるための四方弁３１が設けられている。この四方弁３１は、互いに９０°の角度をおいて四方に開口する第１〜第４ポート３２〜３５を備えており、内部にはこれら第１〜第４ポート３２〜３５の連通を切り替える弁体３６が回動自在に設けられている。
【００３１】
そして、給排気装置３０の給排気管３７が第１ポート３２に接続されるとともに、当該第１ポート３２に隣接する第２ポート３３に、ニューマチックパネル１１の内部空間１３に対する給排気を行う給排気管（第１の給排気管）２２が接続されている。また、第１ポート３２に隣接する第３ポート３４には、空間１７に対する給排気を行う給排気管（第２の給排気管）１９が接続されており、さらに第１ポート３２と対向する第４ポート３５には、開閉弁３８が取り付けられた連通管３９が接続されている。
【００３２】
次に、以上の構成からなる第２実施形態の透過光調整構造の作用効果について説明すると、先ず、建物内に多くの日射を採り入れたい場合には、図３（ａ）に示すように、四方弁３１の弁体３６を、図５に実線で示す第１ポート３２と第２ポート３３とを連通させるとともに、第３ポート３４と第４ポート３５とを連通させる位置Ｘに回動させる。また、連通管３９の開閉弁３８を開いておく。
【００３３】
そして、給排気装置３０を給気側に作動させて、ニューマチックパネル１１の外側膜材１１ａと内側膜材１１ｂとの内部空間１３に給気を行うとともに、屋根材１０下方の空間１７の隔壁１６に設けられた開閉ダンパ１８を開く。すると、ニューマチックパネル１１の内部空間１３内が加圧されることにより外側膜材１１ａと内側膜材１１ｂが離間し、これにより互いの光の透過を抑制するパターン１５ａ、１５ｂ間を通じて、太陽光が建物内に照射されるとともに、空間１７内の空気が四方弁３１の連通管３９から外部に排気されてゆく。これにより、建物内に上記日射によって高温となった空気が屋根材１０の下方に滞留することが無く、建物内における熱負荷を低減することができる。
【００３４】
他方、夏季の日中等のように日射が強い時には、先ず図３（ｂ）に示すように、四方弁３１の弁体３６を、図５に点線で示す第１ポート３２と第３ポート３４とを連通させるとともに、第２ポート３３と第４ポート３５とを連通させる位置Ｙに回動させる。また、連通管３９の開閉弁３８を開いておく。他方、屋根材１０下方の空間１７の隔壁１６に設けられた開閉ダンパ１８は閉じる。
【００３５】
そして、給排気装置３０を給気側に作動させて、屋根材１０とニューマチックパネル１１の外側膜材１１ａとの空間１７に給気を行うとともに、これに伴ってニューマチックパネル１１の内部空間１３の空気を、給排気管２２から四方弁３１を通じて連通管３９から外部に排気する。
【００３６】
そして、最終的に図３（ｃ）に示すように、空間１７内が加圧状態に保持されるとともに、ニューマチックパネル１１の外側膜材１１ａと内側膜材１１ｂとが重なって、互いの膜面上に入れ違いに形成されている遮光パターン１４ａ、１４ｂが上記膜面のほぼ全面積を覆うことにより、建物内への日射が遮光される。さらに、この状態から、給排気装置２０を給気側に作動させたままで開閉ダンパ１８を開けば、同様に屋根材１０と外側膜材１１ａとの間の空間１７を換気することができる。
【００３７】
また、第１実施形態と同様に、ニューマチックパネル１１を建物の室内から見て凹形状に形成したい場合には、図４（ａ）および図５に示すように、四方弁３１の弁体３６を、図５に点線で示す第１ポート３２と第２ポート３３および第３ポート３４とを連通させるとともに、第２ポート３３および第３ポート３４と第４ポート３５とを連通させる位置Ｚに回動させる。また、屋根材１０下方の空間１７の隔壁１６に設けられた開閉ダンパ１８および連通管３９の開閉弁３８を閉じる。
【００３８】
この状態で、給排気装置３０を排気側に作動させると、ニューマチックパネル１１の内部空間１３を負圧に保持しつつ、屋根材１０下方の空間１７内が排気されて減圧されることにより、ニューマチックパネル１１が、上記日射を遮ったままで、上方に向けて凸形状、すなわち建物の室内から見ると凹形状となる。これにより、第１実施形態と同様に、ニューマチックパネル１１が室内に凸状に形成されることによる圧迫感を低減することができるとともに、建物の室内空間を広く活用することも可能になる。
【００３９】
さらに、この状態から図４（ｂ）に示すように、開閉弁１８を開けば、日射を遮る状態を保持しつつ、屋根材１０と外側膜材１１ａとの間の空間１７を換気することもできる。
この結果、上記第２実施形態に係る建物の透過光調整構造によれば、第１実施形態と同様の効果が得られることに加えて、四方弁３１を適宜切り替えることにより、屋根材１０下方の空間１７およびニューマチックパネル１１の内部空間１３に対して、１基の給排気装置３０を作動させることによって、建物内への透過光を調整することができるために、制御が容易になるとともに、設備の簡易化を図ることができる。
【００４０】
また、第１および第２実施形態に示した透過光調整構造にあっては、いずれもニューマチックパネル１１を建物の屋根材１０の下方に配設することによって構成されているために、新築の建物のみならず、既存の建物に対しても容易に適用することができる。
【００４１】
しかも、屋根材１０として、透明はガラス板や合成樹脂板等の光の透過性を有し、かつ耐火性に優れる様々な素材を適宜選択することができるために、容易に所望の防火性を確保することができるとともに、屋根材１０とニューマチックパネル１１との間の空間１７によって、空気層が形成されているために、遮音性も高めることができる。さらに、隔壁１６の内側に沿って、別途吸音材を配置すれば、降雨時等における騒音の発生も抑制することができる。
【００４２】
なお、上述した第１および第２実施形態においては、本発明に係る建物の透過光調整構造を、外被材が屋根材１０である場合に適用した場合についてのみ説明したが、これに限定されるものではなく、例えば図６に示すように、上記外被材が壁材である場合にも、同様に適用することが可能である。
【００４３】
すなわち、図６に示すように、建物の壁面を画成する壁材（外被材）４０として透明なガラス板や合成樹脂板を用いて、その内側に沿って所定の間隔をおいて上述したニューマチックパネル１１を配設し、かつこれら壁材４０とニューマチックパネル１１との間に隔壁１６によって画成された空間１７を形成するとともに、同様にニューマチックパネル１１の内部空間１３や上記空間１７に対する給排気を行うための給排気装置２０、２１や給排気装置３０および四方弁３１を設けることにより、上記第１および第２実施形態と同様の作用効果を得ることができる。
【図面の簡単な説明】
【００４４】
【図１】本発明に係る建物の透過光調整構造の第１実施形態を示す縦断面図であり、（ａ）は日射透過時、（ｂ）は日射透過から遮光への移行時、（ｃ）は遮光時の状態を示すものである。
【図２】図１に示す透過光調整構造において、（ａ）はニューマチックパネルを建物内から見て凹形状に形成した状態、（ｂ）は、屋根材下方の空間を換気する状態を示すものである。
【図３】本発明の第２実施形態を示す縦断面図であり、（ａ）は日射透過時、（ｂ）は日射透過から遮光への移行時、（ｃ）は遮光時の状態を示すものである。
【図４】図３に示す透過光調整構造において、（ａ）はニューマチックパネルを建物内から見て凹形状に形成した状態、（ｂ）は、屋根材下方の空間を換気する状態を示すものである。
【図５】図３および図４に示す四方弁の構造と弁体の切り替え状態を示す縦断面図である。
【図６】本発明を外被材としての壁材に適用した他の実施形態を示す概略斜視図である。
【図７】従来の膜材を用いたパネルを示す図であって、（ａ）は全体の斜視図、（ｂ）は縦断面図である。
【図８】従来の他の膜材を用いたパネルを示す図で、（ａ）は光透過時、（ｂ）は遮光時の状態を示す縦断面図である。
【符号の説明】
【００４５】
１０  屋根材（外被材）
１１  ニューマチックパネル
１１ａ  外側膜材
１１ｂ  内側膜材
１３  内部空間
１４ａ、１４ｂ  遮光パターン（第２のパターン）
１５ａ、１５ｂ  光透過パターン（第１のパターン）
１６  隔壁（仕切り壁）
１７  空間
１８  開閉ダンパ（開閉弁）
１９、２２、３７  給排気管
２０、２１、３０  給排気装置
３１  四方弁
３２  第１ポート
３３  第２ポート
３４  第３ポート
３５  第４ポート
３６  弁体
３８  開閉弁
３９  連通管
【図１】
2007314997.tif 000003
【図２】
2007314997.tif 000004
【図３】
2007314997.tif 000005
【図４】
2007314997.tif 000006
【図５】
2007314997.tif 000007
【図６】
2007314997.tif 000008
【図７】
2007314997.tif 000009
【図８】
2007314997.tif 000010